(57)【特許請求の範囲】
【請求項１】
第１の屋根ユニット及び第２の屋根ユニットのうちの少なくとも一方が移動することにより開閉可能な開閉式屋根の止水構造であって、
前記第１の屋根ユニットと前記第２の屋根ユニットとを突き合せたときに前記第２の屋根ユニットの屋根板の折版の上方に位置する庇部と、
前記庇部から下方に垂下され、前記第２の屋根ユニットの前記折版の流れ方向に沿って配置され、垂下された状態での下端の位置が前記折版の山部の位置よりも下方に位置する複数の可撓性シートと、
を備え、
前記複数の可撓性シートの間隔が、前記第２の屋根ユニットの前記折版のピッチ間隔と異なる、  開閉式屋根の止水構造。
【請求項２】
前記可撓性シートは、前記第１の屋根ユニット側から順に配置された第１の可撓性シート、第２の可撓性シート及び第３の可撓性シートを含み、
前記第１の可撓性シートと前記第２の可撓性シートとの間隔が前記第２の屋根ユニットの前記折版のピッチ間隔よりも小さく、前記第１の可撓性シートと前記第３の可撓性シートとの間隔が前記第２の屋根ユニットの前記折版のピッチ間隔よりも大きい、請求項１に記載の開閉式屋根の止水構造。
【請求項３】
前記第２の屋根ユニットの前記折版の上面における、前記第１の屋根ユニット側とは反対側を向く傾斜面に、当該傾斜面から立ち上がる立上部を備える、請求項１又は２に記載の開閉式屋根の止水構造。
【請求項４】
前記庇部が、前記第１の屋根ユニットに設けられる、請求項１〜３のいずれか１項に記載の開閉式屋根の止水構造。
【発明の詳細な説明】
【技術分野】
【０００１】
本発明は、開閉式屋根の止水構造に関する。
【背景技術】
【０００２】
従来、屋根の少なくとも一部を複数の屋根ユニットに分割するとともに移動可能に構成した開閉式屋根を用いた構造物がある。例えば、コークスを生成するための窯炉であるコークス炉を建設する際に炉体を覆うために構築される仮設上屋には、開閉式屋根が設けられる。このような開閉式屋根は、屋根を閉合した場合に雨水を遮断できる構造であることが要求される。そのため、開閉式屋根を閉合した場合の止水構造が提案されている。
【０００３】
例えば、特許文献１には、野球場や陸上競技場等の屋根の一部が開閉式とされた大型建築物において、隣接する可動屋根（屋根ユニット）同士の接合縁の一方又は双方に沿って設けられた中空可撓性のシール材と、当該シール材の中空内部に圧力空気を圧送してシール材を相手側接合縁に向けて膨張させる空気圧送手段とを備える技術が開示されている。
【０００４】
また、特許文献２には、建屋内に物を搬入及び搬出するための開閉式屋根を備えた構造物において、隣接する単位屋根（屋根ユニット）同士を連接した際に、互いに当接して雨水の進入を防ぐ雨仕舞手段を設ける技術が開示されている。具体的には、一方の屋根ユニットの屋根板の端部に、隣接する他方の屋根ユニットに向けて延びる鉛直断面が略Ｚ字型の水切材が固定され、水切材の水平部の先端には下方に向けて延びる片部が形成され、片部の先端には弾性変形可能な難燃性のゴムパッキンが取り付けられる。また、他方の屋根ユニットの屋根板の端部には、一方の屋根ユニットに向けて延びる水切材が固定される。そして、屋根ユニット同士が連接した際に、一方の水切材の下方に水切材が納まり、ゴムパッキンが水切材の上面に当接することにより雨水の侵入が防がれる。
【０００５】
また、特許文献３には、屋根を開閉式に構成した大型の競技場等に用いられ、止水が確実で、構造が簡単であり、メンテナンスが容易な開閉式屋根の閉合構造が開示されている。具体的には、一方の移動屋根（屋根ユニット）の先端には庇が突設され、庇の先端から可撓性のシートが垂下され、庇の下部には可撓性のチューブが配置される。また、他方の屋根ユニットの先端には止水壁が上向きに突設され、閉合時には止水壁が一方の屋根ユニットの庇の下に進入し、かつ止水壁の背面が一方の屋根ユニットのシートより庇の内側に位置するように構成される。さらに、他方の屋根ユニットの先端には、一方の屋根ユニットの庇の下部に配置した可撓性のチューブに当接する位置に、同様の構造の可撓性のチューブが配置される。そして、いずれかの屋根ユニットには、可撓性のチューブの当接位置よりも下方であって、かつ両チューブが当接した状態でその垂直投影位置をカバーする範囲に、樋が取り付けられる。
【先行技術文献】
【特許文献】
【０００６】
【特許文献１】特開昭６２−９０４５９号公報
【特許文献２】特開平７−３４５９０号公報
【特許文献３】特開平１０−２６６４５０号公報
【発明の概要】
【発明が解決しようとする課題】
【０００７】
しかしながら、特許文献１に記載の開閉式屋根の構造は、シール材同士の圧着によって止水する構造であるために、屋根ユニットの位置ずれにより隣接する屋根同士の突き合せが不十分となった場合に、止水性能を確保することが困難である。さらに、特許文献１に記載の開閉式屋根の構造は、高圧空気を圧送するポンプを用いるものであり、構成が複雑であるとともにメンテナンスも容易ではない。
【０００８】
また、特許文献２に記載の開閉式屋根の構造は、折版屋根の山部分の大きさに相当する範囲で雨仕舞部分が構成されており、雨仕舞部分が小さく、雨水の進入に対する耐性が低くなるおそれがある。また、特許文献２に記載の開閉式屋根の構造は、雨仕舞部分が小さいために、屋根ユニットの位置ずれに対応することが困難である。
【０００９】
さらに、特許文献３に記載の開閉式屋根の構造は、可撓性のチューブ同士の圧着によって止水する構造であるために、屋根ユニットの位置ずれにより隣接する屋根同士の突き合せが不十分となった場合に、止水性能を確保することが困難である。さらに、特許文献３に記載の開閉式屋根の構造は、可撓性シート、止水壁、可撓性チューブ及び樋等を用いて構成され、メンテナンスが容易ではない。
【００１０】
そこで、本発明は、上記問題に鑑みてなされたものであり、本発明の目的とするところは、簡易な構成で、屋根ユニットの位置ずれ時にも止水性を担保することが可能な、新規かつ改良された開閉式屋根の止水構造を提供することにある。
【課題を解決するための手段】
【００１１】
上記課題を解決するために、本発明のある観点によれば、第１の屋根ユニット及び第２の屋根ユニットのうちの少なくとも一方が移動することにより開閉可能な開閉式屋根の止水構造であって、第１の屋根ユニットと第２の屋根ユニットとを突き合せたときに第２の屋根ユニットの屋根板の折版の上方に位置する庇部と、庇部から下方に垂下され、第２の屋根ユニットの折版の流れ方向に沿って配置され、垂下された状態での下端の位置が折版の山部の位置よりも下方に位置する複数の可撓性シートと、を備える、開閉式屋根の止水構造が提供される。
【００１２】
複数の可撓性シートの間隔が、第２の屋根ユニットの折版のピッチ間隔と異なってもよい。
【００１３】
可撓性シートは、第１の屋根ユニット側から順に配置された第１の可撓性シート、第２の可撓性シート及び第３の可撓性シートを含み、第１の可撓性シートと第２の可撓性シートとの間隔が第２の屋根ユニットの折版のピッチ間隔よりも小さく、第１の可撓性シートと第３の可撓性シートとの間隔が第２の屋根ユニットの折版のピッチ間隔よりも大きくてもよい。
【００１４】
第２の屋根ユニットの折版の上面における、第１の屋根ユニット側とは反対側を向く側面に、当該側面から立ち上がる立上部を備えてもよい。
【００１５】
庇部が、第１の屋根ユニットに設けられてもよい。
【発明の効果】
【００１６】
以上説明したように本発明によれば、簡易な構成で、屋根ユニットの位置ずれ時にも止水性を担保することができる。
【図面の簡単な説明】
【００１７】
【図１】本発明の実施の形態にかかる開閉式屋根の止水構造が適用されたコークス炉仮設上屋を示す斜視図である。
【図２】同実施形態にかかる屋根ユニットの説明図である。
【図３】同実施形態にかかる開閉式屋根の止水構造の構成を示す模式図である。
【図４】可撓性シートの長さについて説明するための図である。
【図５】可撓性シートの間隔について説明するための図である。
【図６】同実施形態にかかる開閉式屋根の止水性能を説明するための図である。
【図７】同実施形態にかかる開閉式屋根の止水性能を説明するための図である。
【図８】同実施形態にかかる開閉式屋根の止水性能を説明するための図である。
【図９】同実施形態にかかる開閉式屋根の止水性能を説明するための図である。
【図１０】開閉式屋根の止水構造の変形例を示す説明図である。
【図１１】従来の開閉式屋根の構成例を示す説明図である。
【図１２】開閉式屋根の位置ずれについて説明するための図である。
【発明を実施するための形態】
【００１８】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００１９】
＜１．背景の説明＞
まず、図１１及び図１２を参照して、コークス炉仮設上屋に設けられた開閉式屋根を例に採って、屋根ユニットの位置ずれについて簡単に説明する。図１１は、開閉式屋根を備えた一般的なコークス炉仮設上屋１００の一例を示す。図１２は、屋根ユニット１０６ａ，１０６ｂを上方から見た図を示す。
【００２０】
図１１に示すコークス炉仮設上屋１００は、本発明にかかる開閉式屋根の止水構造を備えていない。仮設上屋１００は、柱及び梁により構成される躯体の側方に壁材１０２が設けられるとともに、躯体の上方には上部架構１０４が設けられる。上部架構１０４は、コークス炉の炉長方向（以下、「幅方向」ともいう。）に横切って架設される。上部架構１０４の上方には、図示しない移動用レールが敷設され、当該移動用レール上に複数の屋根ユニット１０６が載設されている。
【００２１】
屋根ユニット１０６は、移動用レールの敷設方向（以下、「長手方向」ともいう。）に沿って、移動用レール上を移動可能になっている。これにより、それぞれ隣接する屋根ユニット１０６を開閉させることができる。コークス炉を建設する際には、仮設上屋１００の外側に配置した移動式クレーン等を用いて、隣接する屋根ユニット１０６間が開放された一部の領域を通して仮設上屋１００内にコークス炉窯口金物やコークス炉炉上金物等の資材を搬入することができる。
【００２２】
ここで、それぞれの屋根ユニット１０６は、手動あるいは自動で移動用レール上を移動させられるが、移動用レール上に緩衝物が落ちている場合や、粉塵等が堆積している場合には、屋根ユニット１０６が蛇行する場合がある。例えば、図１２に示すように、屋根ユニット１０６ｂを移動させて隣接する屋根ユニット１０６ａに突き合せる際に、屋根ユニット１０６が蛇行して、屋根ユニット１０６ａに当接した時点で屋根ユニット１０６ｂが回転ずれを生じる場合がある。
【００２３】
具体的には、仮設上屋１００はあくまでも仮設の構造物であって、コークス炉の建設後には解体されるため、コストを抑えた設計とされる。そのため、屋根面の剛性が比較的低く、屋根ユニット１０６ｂの回転又は変形によって、隣接する屋根ユニット１０６ａとの突き合せ部分のずれが生じやすい。
【００２４】
また、屋根ユニット１０６は地組されて上架される場合に、仮設上屋１００が大規模になって、仮設上屋１００の長手方向に沿う屋根ユニット１０６の長さに対して幅方向の長さが大きくなると、地組を行うスペースや、屋根ユニット１０６を上架する重機の能力等を考慮して、屋根ユニット１０６の小型化あるいは軽量化が求められる。したがって、屋根ユニット１０６は、仮設上屋１００の長手方向に沿う幅が小さくされ、上方から見たときの屋根ユニット１０６の形状が長方形になる。その結果、屋根ユニット１０６ｂの回転又は変形が生じやすくなり、隣接する屋根ユニット１０６ａとの突き合せ部分がずれやすくなる。
【００２５】
隣接する屋根ユニット１０６ａ，１０６ｂ同士の突き合せ部分にずれを生じると、屋根ユニット１０６ａ，１０６ｂの止水性能が低下して、雨水が仮設上屋１００内に進入するおそれがある。本実施形態にかかる開閉式屋根の止水構造は、隣接する屋根ユニット１０６同士の突き合せ部分にずれが生じた場合であっても、止水性能を担保することができるものとされている。なお、本明細書においては、上記の屋根ユニットの回転又は変形によるずれを総称して「回転ずれ」という。
【００２６】
＜２．開閉式屋根の止水構造を備えた構造物＞
まず、図１及び図２を参照して、本実施形態にかかる開閉式屋根の止水構造を備えた構造物の一例について説明する。以下の説明においては、構造物としてコークス炉仮設上屋を例に採って説明するが、開閉式屋根の止水構造を適用可能な構造物は、コークス炉仮設上屋に限られるものではなく、種々の構造物に適用可能である。図１は、本実施形態にかかる開閉式屋根の止水構造が適用されたコークス炉仮設上屋１の斜視図である。図２は、屋根ユニット６の構成を説明するための図であって、屋根ユニット６を仮設上屋１の長手方向に見た図である。
【００２７】
仮設上屋１は、柱及び梁により構成される躯体の側方に壁材２が設けられるとともに、躯体の上方には上部架構４が設けられる。仮設上屋１の躯体は、基礎構造９の上に立設される。上部架構４は、仮設上屋１を幅方向に横切って架設される。上部架構４の上方には、仮設上屋１の幅方向の両端側に移動用レール３が敷設され、当該移動用レール３上に複数の屋根ユニット６が載設されている。移動用レール３には、屋根ユニット６に設けられた車輪５が嵌まり込み、車輪５は移動用レール３上をガイドされつつ回転移動する。それぞれの屋根ユニット６は、コークス炉の上方を覆う。屋根ユニット６は、移動用レール３上を長手方向に移動することによって、隣接する屋根ユニット６を開閉することができる。
【００２８】
仮設上屋１の屋根ユニット６は、長手方向において、複数の屋根ユニット６ａ〜６ｈに分割されている。また、図示された例では、コークス炉の基礎構造９上で、コークス炉の両端部にそれぞれ端デッキ７，８が設けられている。端デッキ７，８は、例えば操業時に石炭装入車などの機械のメンテナンスなどに利用される。仮設上屋１が設置されている間、つまりコークス炉の建設中は、仮設上屋１に設けられる移動用レール３が、端デッキ７まで延長される。このため、仮設上屋１で移動用レール３を支持する上部架構４の上面の高さが、端デッキ７の高さと略同一に設計される。なお、他の例では、端デッキ８側についても同様の構成が採用されてもよい。
【００２９】
図１の例では、屋根ユニット６ａ，６ｇ，６ｈが移動用レール３上を端デッキ７の方向に移動したことによって屋根ユニット６ａと屋根ユニット６ｂとの間が開放された状態が示されている。屋根ユニット６が移動してコークス炉の上方が開放された部分では、仮設上屋１の外側から移動式クレーンを用いてコークス炉窯口金物やコークス炉炉上金物などの資材を搬入することができる。なお、各屋根ユニット６ａ〜６ｈは、例えば移動用レール３上を滑走する車輪５に取り付けられたモータを駆動させることによって自走してもよいし、手動により、あるいは仮設上屋１の外側から移動式クレーンなどを用いて移動させられてもよい。
【００３０】
屋根部分を複数の屋根ユニット６ａ〜６ｈに分割する構成は、仮設上屋１の構築後に屋根部分を開放する際だけではなく、仮設上屋１の構築中に屋根部分を設置する際にも有利である。屋根部分が適切な大きさの屋根ユニット６ａ〜６ｈに分割されることによって、各屋根ユニット６ａ〜６ｈを地組した上でコークス炉の建設地に搬入することが容易になり、仮設上屋１を現地で構築するための工程が簡略化される。また、例えば、図１に示した例のように、仮設上屋１に設けられる移動用レール３が端デッキ７まで延長される場合、屋根ユニット６ａ〜６ｈのそれぞれを順次、端デッキ７上の移動用レール３に載設し、移動用レール３上を走行させることによって所定の設置位置まで移動させることもできる。この場合、クレーンを移動させることなくすべての屋根ユニット６ａ〜６ｈを載設できるため、工程の簡略化および工期の短縮につながる。なお、移動用レール３を端デッキ７まで延長しない場合にも、移動用レール３上の任意の位置に各屋根ユニットを順次載設して所定の設置位置まで走行させることが可能である。
【００３１】
＜３．開閉式屋根の止水構造＞
（３−１．構成）
次に、上記の図１と併せて図３を参照して、本実施形態にかかる開閉式屋根の止水構造について詳細に説明する。以下の説明では、第１の屋根ユニット６ａと第２の屋根ユニット６ｂとの突き合せ部分を例に採って本実施形態にかかる開閉式屋根の止水構造について説明する。ただし、本実施形態にかかる開閉式屋根の止水構造は、仮設上屋１に設置された複数の屋根ユニット６ａ〜６ｈのうち、すべての隣り合う屋根ユニットの突き合せ部分に適用することができる。
【００３２】
図３は、第１の屋根ユニット６ａ及び第２の屋根ユニット６ｂの閉合部分を示す模式図である。第１の屋根ユニット６ａと第２の屋根ユニット６ｂとは、第２の屋根ユニット６ｂのケラバ部分１９を第１の屋根ユニット６ａの一端側に突き合せることにより閉合される。第２の屋根ユニット６ｂの屋根板１１は折版により形成されている（以下、折版により形成された屋根板を「折版屋根」ともいう。）。折版屋根１１の折版の流れは、仮設上屋１の幅方向、すなわち、第１の屋根ユニット６ａ及び第２の屋根ユニット６ｂの移動方向に対して交差する方向に沿って形成されている。なお、図示しないが、第１の屋根ユニット６ａの屋根板も同様にして折版により形成されている。
【００３３】
第１の屋根ユニット６ａは、第２の屋根ユニット６ｂ側の端部に庇部２３を有する。庇部２３は、第１の屋根ユニット６ａの幅方向の全長に亘って設けられる。庇部２３は、第１の屋根ユニット６ａと第２の屋根ユニット６ｂとを突き合せたときに、第２の屋根ユニット６ｂの折版屋根１１の上方に位置する。図３の例では、第２の屋根ユニット６ｂのケラバ部分１９を第１の屋根ユニット６ａの一端側に突き合せた状態で、庇部２３が第２の屋根ユニット６ｂの上方を覆う位置に配置される。庇部２３は、屋根板を折版屋根１１により構成した既存の屋根ユニットに対して追加的に設けてもよい。庇部２３を追加的に設けるようにすれば、既存の屋根ユニットを利用して、本実施形態にかかる止水構造に利用可能な第１の屋根ユニット６ａを得ることができる。
【００３４】
庇部２３には、複数の可撓性シート２１ａ〜２１ｃが下方に垂下されて設けられる。図３に示した例では、３枚の可撓性シート２１ａ〜２１ｃが庇部２３に設けられている。可撓性シート２１ａ〜２１ｃは、例えば、ゴム又は樹脂等により構成される。かかる可撓性シート２１ａ〜２１ｃは、庇部２３から垂下される部分全体が可撓性を有していてもよいし、庇部２３に接続される上方の部分に非可撓性の構成部分を有していてもよい。また、可撓性シート２１ａ〜２１ｃは、所定の重量を有し、可撓性シート２１ａ〜２１ｃの下方が、可撓性シート２１ａ〜２１ｃに対して交差する方向に押されたときに、可撓性シート２１ａ〜２１ｃが撓むようになっている。
【００３５】
可撓性シート２１ａ〜２１ｃは、第２の屋根ユニット６ｂの折版屋根１１の折版の流れ方向に沿って配置され、垂下された状態で、可撓性シート２１ａ〜２１ｃの下端の位置が、折版屋根１１の山部１３ａ〜１３ｄの位置よりも下方に位置する。換言すれば、図４に示すように、折版屋根１１の山部１３の位置から可撓性シート２１の下端の位置までの距離ｈは、折版屋根１１の底部１５から山部１３までの高さＨよりも小さくなっている。したがって、第１の屋根ユニット６ａと第２の屋根ユニット６ｂとを互いに近接させたときに、可撓性シート２１ａ〜２１ｃは、撓みながら第２の屋根ユニット６ｂの折版屋根１１上を引き摺られる。
【００３６】
第１の屋根ユニット６ａの庇部２３に設けられた３枚の可撓性シート２１ａ〜２１ｃの間隔は、折版屋根１１のピッチ間隔と異なっている。具体的には、図５に示すように、３枚の可撓性シート２１ａ〜２１ｃを第１の屋根ユニット６ａ側から順に第１の可撓性シート２１ａ、第２の可撓性シート２１ｂ、第３の可撓性シート２１ｃとしたときに、第１の可撓性シート２１ａと第２の可撓性シート２１ｂとの間隔ｌ１、及び第２の可撓性シート２１ｂと第３の可撓性シート２１ｃとの間隔ｌ２が、それぞれ折版屋根１１の折版のピッチ間隔Ｌよりも小さくされている。折版屋根１１の折版のピッチ間隔Ｌと異なる間隔ｌ１，ｌ２で複数枚の可撓性シート２１ａ〜２１ｃが設けられることにより、第１の屋根ユニット６ａと第２の屋根ユニット６ｂとを突き合せたときに前後のずれ又は回転ずれが生じた場合であっても、幅方向のすべての位置において、３枚の可撓性シート２１ａ〜２１ｃのうちの少なくとも一つを折版屋根１１の折版に接触させやすくできる。
【００３７】
また、第１の可撓性シート２１ａと第２の可撓性シート２１ｂとの間隔ｌ１が、折版屋根１１の折版のピッチ間隔Ｌよりも小さい一方、第１の可撓性シート２１ａと第３の可撓性シート２１ｃとの間隔ｌ３が、折版屋根１１の折版のピッチ間隔Ｌよりも大きくされている。これにより、第１の屋根ユニット６ａと第２の屋根ユニット６ｂとを突き合せたときに前後のずれ又は回転ずれが生じた場合であっても、幅方向のいずれの位置においても、より確実に、少なくとも一つの可撓性シートを折版屋根１１の折版に接触させることができる。
【００３８】
複数の可撓性シート２１と折版屋根１１との組み合わせによる止水構造とすることにより、可撓性シート２１が折版屋根１１の山部１３の上面に接する状態では、撓みの反力により、可撓性シート２１が折版屋根１１に押え付けられる。また、可撓性シート２１が折版屋根１１の山部１３の間に位置した場合に、可撓性シート２１が風を受けても山部１３に当接して、めくれ上がりにくくなっている。したがって、本実施形態にかかる開閉式屋根の止水構造は、それぞれの可撓性シート２１に対応する止水ラインによって雨水の進入を妨げることができる。
【００３９】
また、複数の可撓性シート２１の間隔ｌ１，ｌ２が、折版屋根１１の折版のピッチ間隔Ｌと異なっているために、第１の屋根ユニット６ａと第２の屋根ユニット６ｂとの突き合せ状態にずれを生じている場合であっても、幅方向のいずれの位置においても少なくとも１箇所の止水ラインが確保される。
【００４０】
（３−２．可撓性シートと折版屋根との接触）
次に、図６〜図９を参照して、本実施形態にかかる開閉式屋根の止水構造における可撓性シート２１ａ〜２１ｃと折版屋根１１との接触について説明する。図６は、第１の屋根ユニット６ａと第２の屋根ユニット６ｂとが正常な位置で突き合せられている様子を示す。図７は、第１の屋根ユニット６ａと第２の屋根ユニット６ｂとが、幅方向の端部において折版のピッチ間隔Ｌの４分の１ずれた状態で突き合せられている様子を示す。図８は、第１の屋根ユニット６ａと第２の屋根ユニット６ｂとが、幅方向の端部において折版のピッチ間隔Ｌの２分の１ずれた状態で突き合せられている様子を示す。また、図９は、第２の屋根ユニット６ｂの回転ずれが生じた状態で、第１の屋根ユニット６ａと第２の屋根ユニット６ｂとが突き合せられている様子を示す。
【００４１】
図６に示すように、第１の屋根ユニット６ａと第２の屋根ユニット６ｂとが正常に突き合せられている場合、第１の可撓性シート２１ａが山部１３ａの上面に接し、第２の可撓性シート２１ｂが山部１３ｂの上面に接する。第１の屋根ユニット６ａと第２の屋根ユニット６ｂとが相対的に近づけられるため、第１の可撓性シート２１ａ及び第２の可撓性シート２１ｂは、下端部が第１の屋根ユニット６ａ側に押された状態で撓んでいる。一方、第３の可撓性シート２１ｃは、折版屋根１１の底部１５ｂに位置し、折版屋根１１には接しない。
【００４２】
第１の屋根ユニット６ａと第２の屋根ユニット６ｂとが正常に突き合せられている場合、幅方向全体に亘って上記の第１〜第３の可撓性シート２１ａ〜２１ｃの接触状態となる。このとき、第１及び第２の可撓性シート２１ａ，２１ｂの重量及び可撓性により、第１及び第２の可撓性シート２１ａ，２１ｂが折版屋根１１に押し付けられて、止水性能が発現する。したがって、第１の可撓性シート２１ａ及び第２の可撓性シート２１ｂが折版屋根１１に接している２箇所で、雨水の進入が妨げられる。
【００４３】
図７に示すように、第１の屋根ユニット６ａと第２の屋根ユニット６ｂとが、折版のピッチ間隔Ｌの４分の１ずれている場合、第１の可撓性シート２１ａが山部１３ａの上面に接し、第２の可撓性シート２１ｂが山部１３ｂにおける、第１の屋根ユニット６ａ側の側面に接する。一方、第３の可撓性シート２１ｃは、折版屋根１１の底部１５ｂに位置し、折版屋根１１には接しない。このとき、第１の可撓性シート２１ａの重量及び可撓性により、第１の可撓性シート２１ａが折版屋根１１に押し付けられて、止水性能が発現する。したがって、第１の可撓性シート２１ａが折版屋根１１に接している箇所で、雨水の進入が妨げられる。なお、第２の可撓性シート２１ｂの下端部は、風雨が吹き込む場合に山部１３ｂから離れる方向に移動しやすく、止水性能は低くなりやすい。
【００４４】
図８に示すように、第１の屋根ユニット６ａと第２の屋根ユニット６ｂとが、折版のピッチ間隔Ｌの２分の１ずれている場合、第１の可撓性シート２１ａが撓むことなくケラバ部分１９に接し、第３の可撓性シート２１ｃが山部１３ｂの上面に接する。また、第２の可撓性シート２１ｂは、折版屋根１１の底部１５ａに位置し、折版屋根１１には接しない。このとき、第３の可撓性シート２１ｃは折版屋根１１に押し付けられて、止水性能が発現するが、第１の可撓性シート２１ａは、撓みの反力が作用しない状態で接するために、風雨が吹き込むとケラバ部分１９から離れ、止水性能が発揮されない。したがって、第３の可撓性シート２１ｃが折版屋根１１に接している箇所で、雨水の進入が妨げられる。
【００４５】
表１は、屋根ユニットのずれに応じて形成され得る、第１〜第３の可撓性シート２１ａ〜２１ｃによる止水ラインの形成箇所を示す。表１は、折版屋根１１の折版のピッチ間隔Ｌが５００ｍｍ、山部１３の高さが１６０ｍｍ、山部１３の側面の立上り角が５６°、可撓性シート２１ａ〜２１ｃの長さを２３０ｍｍ、及び山部１３の上面から可撓性シート２１ａ〜２１ｃの下端までの高さの差が８０ｍｍの場合の例である。第１の可撓性シート２１ａと第２の可撓性シート２１ｂとの間隔ｌ１は３８０ｍｍであり、第２の可撓性シート２１ｂと第３の可撓性シート２１ｃとの間隔ｌ２は３００ｍｍであり、第１の可撓性シート２１ａと第３の可撓性シート２１ｃとの間隔ｌ３は６８０ｍｍである。屋根ユニットのずれ幅は、図６に示す正常状態をずれ幅ゼロとし、折版のピッチ間隔Ｌを基準に、Ｌ／４（図７の状態）、２Ｌ／４（図８の状態）、３Ｌ／４、４Ｌ／４、及び、それぞれのずれ幅の中間の状態の９パターンで示されている。
【００４６】
【表１】
0006634816.tif 000002
【００４７】
表１に示すように、上記の構成の止水構造とすることにより、第１の屋根ユニット６ａと第２の屋根ユニット６ｂとがずれている場合であっても、少なくとも１箇所の止水ラインが形成される。したがって、雨水の進入を妨げることができる。
【００４８】
図９に示すように、第１の屋根ユニット６ａと第２の屋根ユニット６ｂとが回転ずれを生じている場合、幅方向の位置ごとに、第１〜第３の可撓性シート２１ａ〜２１ｃと折版屋根１１との接触状態は異なる。ただし、本実施形態にかかる開閉式屋根の止水構造では、いずれの位置においても、図６〜図８に例示したように、第１〜第３の可撓性シート２１ａ〜２１ｃのうちの少なくとも１つが折版屋根１１の山部１３に接することができる。したがって、第１の屋根ユニット６ａと第２の屋根ユニット６ｂとの間からの雨水の進入を妨げることができる。
【００４９】
（３−３．変形例）
本実施形態にかかる開閉式屋根の止水構造は、種々の変形が可能である。図１０は、開閉式屋根の止水構造の変形例の一態様を示している。かかる変形例では、第２の屋根ユニット６ｂの折版屋根１１の山部１３における、第１の屋根ユニット６ａ側とは反対側の側面に、返し板１７が設けられている。かかる返し板１７は、第２の屋根ユニット６ｂの幅方向に沿って、連続して又は断続的に設けられている。
【００５０】
返し板１７は、風によって可撓性シート２１の下端部がめくれ上がることを防ぐ機能を有する（図１０の左側の返し板１７を参照）。これにより、めくれ上がった可撓性シート２１と折版屋根１１との隙間からの風雨の吹き込みによる雨水の進入を防ぐことができる。また、返し板１７は、風雨が折版屋根１１に当たって跳ね返り、吹き上がることを防ぐ機能も有する。これにより、可撓性シート２１と折版屋根１１とに隙間が生じた場合であっても、当該隙間から風雨が吹き込むおそれを低減することができる。
【００５１】
可撓性シート２１のめくれ上がりや風雨の吹き上げを抑えるためには、返し板１７の高さは、例えば、１０〜５０ｍｍの範囲内とすることができる。また、返し板１７と折版屋根１１とにより形成された溝に雨水が溜まらないようにするために、返し板１７は断続的に設けられてもよい。
【００５２】
＜４．まとめ＞
以上、本実施形態にかかる開閉式屋根の止水構造は、第１の屋根ユニット６ａと第２の屋根ユニット６ｂとを付き合せたときに第２の屋根ユニット６ｂの折版屋根１１の上方に位置する庇部２３から下方に垂下された３枚の可撓性シート２１ａ〜２１ｃを備える。かかる３枚の可撓性シート２１ａ〜２１ｃは、第１の屋根ユニット６ａと第２の屋根ユニット６ｂとを突き合せたときに、撓みの反力により、第２の屋根ユニット６ｂの折版屋根１１に押え付けられる。また、本実施形態にかかる開閉式屋根の止水構造は、３枚の可撓性シート２１ａ〜２１ｃを折版屋根１１に当接させる構造であり、風雨の吹込みによる可撓性シート２１ａ〜２１ｃのめくれが、折版屋根１１の山部１３によって抑制される。これにより、雨水の進入を妨げることができる。一方で、３枚の可撓性シート２１ａ〜２１ｃは、強い圧力で折版屋根１１に圧着されるものではないため、屋根の開閉や風によって可撓性シート２１ａ〜２１ｃが繰り返し摺れるとしても、劣化しにくくなっている。
【００５３】
本実施形態にかかる開閉式屋根の止水構造は、簡易な構成であり、庇部２３の下方に配置される第２の屋根ユニット６ｂを加工せずに実現することができる。また、本実施形態にかかる開閉式屋根の止水構造は、可撓性シート２１ａ〜２１ｂの劣化時の修理交換作業を容易に行うことができる。このように、本実施形態にかかる開閉式屋根の止水構造によれば、簡易な構成によって、第１の屋根ユニット６ａと第２の屋根ユニット６ｂとの間からの雨水の進入を防ぐことができる。
【００５４】
また、３枚の可撓性シート２１ａ〜２１ｃの間隔ｌ１，ｌ２が、第２の屋根ユニット６ｂの折版屋根１１の折版のピッチ間隔Ｌと異なっている。これにより、第１の屋根ユニット６ａと第２の屋根ユニット６ｂとが移動方向前後にずれていたり、回転ずれを生じていたりしても、いずれかの可撓性シート２１ａ〜２１ｃが折版屋根１１に接しやすくなっている。特に、本実施形態では、第１の可撓性シート２１ａと第２の可撓性シート２１ｂとの間隔ｌ１が折版屋根１１の折版のピッチ間隔Ｌよりも小さく、第１の可撓性シート２１ａと第３の可撓性シート２１ｃとの間隔ｌ３が折版のピッチ間隔Ｌよりも大きくなっている。したがって、第１の屋根ユニット６ａと第２の屋根ユニット６ｂとが移動方向前後にずれていたり、回転ずれを生じていたりしても、より確実に、いずれかの可撓性シート２１ａ〜２１ｃが折版屋根１１に接しやすくなる。そのため、止水効果がより高められる。
【００５５】
以上、添付図面を参照しながら本発明の好適な実施の形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００５６】
例えば、上記実施の形態にかかる開閉式屋根の止水構造では、第１の屋根ユニット６ａの庇部２３に３枚の可撓性シート２１ａ〜２１ｃが設けられていたが、本発明はかかる例に限定されない。可撓性シート２１は２枚又は４枚以上であってよく、可撓性シート２１の間隔が折版屋根１１の折版のピッチ間隔と異なることによって、第１の屋根ユニット６ａと第２の屋根ユニット６ｂとが移動方向前後にずれていたり、回転ずれを生じていたりしても、いずれかの可撓性シート２１が折版屋根１１に接しやすくなる。したがって、第１の屋根ユニット６ａと第２の屋根ユニット６ｂとの間からの雨水の進入を低減することができる。
【００５７】
また、上記実施の形態にかかる開閉式屋根の止水構造では、可撓性シート２１が設けられる庇部２３が隣り合う屋根ユニットのうちの一方に設けられていたが、本発明はかかる例に限定されない。例えば、折版屋根１１を備える屋根ユニットとは別に、独立した庇部を隣り合う屋根ユニットの突き合せ位置の上方に配置させてもよい。この場合、庇部に設けられる可撓性シートは、突き合せられる二つの屋根ユニットの折版屋根にそれぞれ接するように構成され、それぞれの屋根ユニットと可撓性シートとの間で止水する。
【符号の説明】
【００５８】
１    仮設上屋
３    移動用レール
６    屋根ユニット
６ａ    第１の屋根ユニット
６ｂ    第２の屋根ユニット
１１    折版屋根
１３，１３ａ，１３ｂ，１３ｃ，１３ｄ    山部
１５，１５ａ，１５ｂ，１５ｃ，１５ｄ    底部
１７    返し板
２１    可撓性シート
２１ａ    第１の可撓性シート
２１ｂ    第２の可撓性シート
２１ｃ    第３の可撓性シート
２３    庇部
【図１】
0006634816.tif 000003
【図２】
0006634816.tif 000004
【図３】
0006634816.tif 000005
【図４】
0006634816.tif 000006
【図５】
0006634816.tif 000007
【図６】
0006634816.tif 000008
【図７】
0006634816.tif 000009
【図８】
0006634816.tif 000010
【図９】
0006634816.tif 000011
【図１０】
0006634816.tif 000012
【図１１】
0006634816.tif 000013
【図１２】
0006634816.tif 000014